(57)【要約】【課題】出力映像の表示を再生動作の制御受け付けの条件とするモバイル装置を、自身で作成した画面で受け付けた操作に応じて制御する「車載システム」を提供する。【解決手段】  オーディオソースとしてモバイル装置２が選択されたときに(ａ１）、モバイル装置２の出力映像を過去に表示していないときには、当該映像を表示するか否かを問い合わせ(ａ２）、表示が指示されたならば、上部ディスプレイ１２にモバイル装置２の出力映像を表示した上で（ｂ３）、モバイル装置２を制御してモバイル装置２のオーディオコンテンツの再生出力を開始すると共に、下部タッチパネルディスプレイ１１に、モバイル装置２の再生動作の操作をユーザから受け付けるためのボタンを設けた再生情報画面を表示する（ａ３）。そして、以降は、再生情報画面の操作に応じてモバイル装置２を制御する。【選択図】図５
2019021277.tif 000002
【特許請求の範囲】
【請求項１】
コンテンツの再生を行うモバイル装置を接続可能な車載システムであって、
第１のディスプレイと、
第２のディスプレイと、
接続されているモバイル装置が出力した映像を当該モバイル装置が接続された後に表示したことがあるかどうかを表す表示有無情報を管理する既表示有無管理手段と、
接続されたモバイル装置で再生されたコンテンツを出力すると共に、接続されているモバイル装置の操作受付用の画面を生成して、前記第１のディスプレイに表示し、前記画面に対するユーザの操作に応じて、前記モバイル装置のコンテンツの再生動作を制御する再生制御動作を行うモバイル装置コンテンツ再生制御手段と、
モバイル装置出力映像表示制御手段とを有し、
前記モバイル装置出力映像表示制御手段は、当該車載システムにおいて、前記モバイル装置のコンテンツの利用を開始する際に、
前記既表示有無管理手段が管理している前記表示有無情報が、接続されているモバイル装置が出力した映像を当該モバイル装置が接続された後に表示したことがあることを表している場合に、前記モバイル装置コンテンツ再生制御手段に前記再生制御動作を開始させ、
前記既表示有無管理手段が管理している前記表示有無情報が、接続されているモバイル装置が出力した映像を当該モバイル装置が接続された後に表示したことがないことを表している場合に、接続されているモバイル装置が出力する映像を前記第２のディスプレイへの表示を制御するモバイル装置映像表示処理を行った上で、前記モバイル装置コンテンツ再生制御手段に前記再生制御動作を開始させ、
前記既表示有無管理手段は、前記モバイル装置出力映像表示制御手段が前記モバイル装置映像表示処理を行ったときに、前記表示有無情報を、接続されているモバイル装置が出力した映像を当該モバイル装置が接続された後に表示したことがあることを表すように更新することを特徴とする車載システム。
【請求項２】
請求項１記載の車載システムであって、
前記モバイル装置出力映像表示制御手段は、当該車載システムにおいて、前記モバイル装置のコンテンツの利用を開始する際に、前記既表示有無管理手段が管理している前記表示有無情報が、接続されているモバイル装置が出力した映像を当該モバイル装置が接続された後に表示したことがないことを表している場合に、モバイル装置が出力する映像の表示を行うかどうかをユーザに問い合わせ、ユーザから表示を行う旨の指示を受けた場合にのみ、前記モバイル装置映像表示処理を行った上で、前記モバイル装置コンテンツ再生制御手段に前記再生制御動作を開始させる動作を行うことを特徴とする車載システム。
【請求項３】
請求項２記載の車載システムであって、
前記モバイル装置出力映像表示制御手段は、前記問い合わせを当該問い合わせ用の画面を前記第１のディスプレイに表示することにより行うと共に、当該問い合わせ用の画面に対するユーザの操作によって前記表示を行う旨の指示を受け付けることを特徴とする車載システム。
【請求項４】
請求項１、２または３記載の車載システムであって、
前記モバイル装置出力映像表示制御手段は、
前記モバイル装置映像表示処理で、接続されているモバイル装置が出力する映像を前記第２のディスプレイの表示した後に、所定期間経過したときに、当該第２のディスプレイの表示を、前記接続されているモバイル装置が出力する映像を表示する前に当該第２のディスプレイに表示されていた映像の表示に復帰することを特徴とする車載システム。
【請求項５】
コンテンツの再生を行うモバイル装置を接続可能な車載システムであって、
ディスプレイと、
接続されているモバイル装置が出力した映像を当該モバイル装置が接続された後に表示したことがあるかどうかを表す表示有無情報を管理する既表示有無管理手段と、
接続されたモバイル装置で再生されたコンテンツを出力すると共に、接続されているモバイル装置の操作受付用の画面を生成して、前記ディスプレイに表示し、前記画面に対するユーザの操作に応じて、前記モバイル装置のコンテンツの再生動作を制御する再生制御動作を行うモバイル装置コンテンツ再生制御手段と、
モバイル装置出力映像表示制御手段とを有し、
前記モバイル装置出力映像表示制御手段は、当該車載システムにおいて、前記モバイル装置のコンテンツの利用を開始する際に、
前記既表示有無管理手段が管理している前記表示有無情報が、接続されているモバイル装置が出力した映像を当該モバイル装置が接続された後に表示したことがあることを表している場合に、前記モバイル装置コンテンツ再生制御手段に前記再生制御動作を開始させ、
前記既表示有無管理手段が管理している前記表示有無情報が、接続されているモバイル装置が出力した映像を当該モバイル装置が接続された後に表示したことがないことを表している場合に、接続されているモバイル装置が出力する映像の前記ディスプレイへの所定期間のみの表示を制御するモバイル装置映像表示処理を行った上で、前記モバイル装置コンテンツ再生制御手段に前記再生制御動作を開始させ、
前記既表示有無管理手段は、前記モバイル装置出力映像表示制御手段が前記モバイル装置映像表示処理を行ったときに、前記表示有無情報を、接続されているモバイル装置が出力した映像を当該モバイル装置が接続された後に表示したことがあることを表すように更新することを特徴とする車載システム。
【請求項６】
請求項１、２、３、４または５記載の車載システムであって、
前記既表示有無管理手段は、前記モバイル装置の接続が解除されたときに、前記表示有無情報を、接続されているモバイル装置が出力した映像を当該モバイル装置が接続された後に表示したことがないことを表すように更新することを特徴とする車載システム。
【請求項７】
請求項１、２、３、４、５または６記載の車載システムであって、
前記モバイル装置が再生するコンテンツは、オーディオコンテンツであることを特徴とする車載システム。
【発明の詳細な説明】
【技術分野】
【０００１】
本発明は、車載システムにおいて、接続されたモバイル装置のコンテンツの再生動作を制御する技術に関するものである。
【背景技術】
【０００２】
車載システムにおいて、接続されたモバイル装置のコンテンツの再生動作を制御する技術としては、車載システムにおいて、モバイル装置のオーディオコンテンツの再生動作の操作受け付け用の画面を作成して表示し、当該画面上で受け付けたユーザの操作に応じて、モバイル装置のオーディオコンテンツの再生動作を制御する技術が知られている（たとえば、特許文献１）。
【先行技術文献】
【特許文献】
【０００３】
【特許文献１】特開２０１２-２０８８９１号公報
【発明の概要】
【発明が解決しようとする課題】
【０００４】
さて、モバイル装置のうちには、モバイル装置が出力する画面を車載システムにおいて表示することなく、モバイル装置のコンテンツの再生動作を車載システムから制御することを制限するものがある(たとえば、Google社のAndroid Auto）。
【０００５】
一方、上述した車載システムにおいて、モバイル装置のオーディオコンテンツの再生動作の操作受け付け用の画面を作成して表示し、当該画面上で受け付けたユーザの操作に応じて、モバイル装置のオーディオコンテンツの再生動作を制御する技術は、モバイル装置が出力する画面を車載システムにおいて表示することなく行われるものである。
【０００６】
したがって、この技術によっては、上述したようなモバイル装置が出力する画面を表示することなくモバイル装置のコンテンツの再生動作を車載システムから制御することを制限するモバイル装置については、車載システムにおいて作成した画面を用いてモバイル装置のコンテンツの再生動作の操作を受け付けて、モバイル装置のコンテンツの再生動作を制御することができない。
【０００７】
そこで、本発明は、接続されたモバイル装置のコンテンツ再生動作を制御する車載システムにおいて、モバイル装置が出力する画面を表示することなくモバイル装置のコンテンツの再生動作を制御することを制限するモバイル装置についても、車載システムにおいて作成した画面を用いたモバイル装置のコンテンツの再生動作の操作の受け付けと当該操作に応じたモバイル装置のコンテンツの再生動作の制御を行うことを課題とする。
【課題を解決するための手段】
【０００８】
前記課題達成のために、本発明は、コンテンツの再生を行うモバイル装置を接続可能な車載システムに、第１のディスプレイと、第２のディスプレイと、接続されているモバイル装置が出力した映像を当該モバイル装置が接続された後に表示したことがあるかどうかを表す表示有無情報を管理する既表示有無管理手段と、接続されたモバイル装置で再生されたコンテンツを出力すると共に、接続されているモバイル装置の操作受付用の画面を生成して、前記第１のディスプレイに表示し、前記画面に対するユーザの操作に応じて、前記モバイル装置のコンテンツの再生動作を制御する再生制御動作を行うモバイル装置コンテンツ再生制御手段と、モバイル装置出力映像表示制御手段とを設けたものである。ここで、前記モバイル装置出力映像表示制御手段は、当該車載システムにおいて、前記モバイル装置のコンテンツの利用を開始する際に、前記既表示有無管理手段が管理している前記表示有無情報が、接続されているモバイル装置が出力した映像を当該モバイル装置が接続された後に表示したことがあることを表している場合に、前記モバイル装置コンテンツ再生制御手段に前記再生制御動作を開始させ、前記既表示有無管理手段が管理している前記表示有無情報が、接続されているモバイル装置が出力した映像を当該モバイル装置が接続された後に表示したことがないことを表している場合に、接続されているモバイル装置が出力する映像を前記第２のディスプレイへの表示を制御するモバイル装置映像表示処理を行った上で、前記モバイル装置コンテンツ再生制御手段に前記再生制御動作を開始させる。また、前記既表示有無管理手段は、前記モバイル装置出力映像表示制御手段が前記モバイル装置映像表示処理を行ったときに、前記表示有無情報を、当該表示有無情報が接続されているモバイル装置が出力した映像を当該モバイル装置が接続された後に表示したことがあることを表すように更新する。
【０００９】
こここで、このような車載システムは、前記モバイル装置出力映像表示制御手段において、当該車載システムにおいて、前記モバイル装置のコンテンツの利用を開始する際に、前記既表示有無管理手段が管理している前記表示有無情報が、接続されているモバイル装置が出力した映像を当該モバイル装置が接続された後に表示したことがないことを表している場合に、モバイル装置が出力する映像の表示を行うかどうかをユーザに問い合わせ、ユーザから表示を行う旨の指示を受けた場合にのみ、前記モバイル装置映像表示処理を行った上で、前記モバイル装置コンテンツ再生制御手段に前記再生制御動作を開始させる動作を行うように構成してもよい。
【００１０】
また、この場合には、前記モバイル装置出力映像表示制御手段において、前記問い合わせを当該問い合わせ用の画面を前記第１のディスプレイに表示することにより行うと共に、当該問い合わせ用の画面に対するユーザの操作によって前記表示を行う旨の指示を受け付けるようにしてもよい。
【００１１】
または、以上の車載システムは、前記モバイル装置出力映像表示制御手段において、前記モバイル装置映像表示処理で、接続されているモバイル装置が出力する映像を前記第２のディスプレイの表示した後に、所定期間経過したときに、当該第２のディスプレイの表示を、前記接続されているモバイル装置が出力する映像を表示する前に当該第２のディスプレイに表示されていた映像の表示に復帰するように構成してもよい。
【００１２】
また、前記課題達成のために、本発明は、コンテンツの再生を行うモバイル装置を接続可能な車載システムに、ディスプレイと、接続されているモバイル装置が出力した映像を当該モバイル装置が接続された後に表示したことがあるかどうかを表す表示有無情報を管理する既表示有無管理手段と、接続されたモバイル装置で再生されたコンテンツを出力すると共に、接続されているモバイル装置の操作受付用の画面を生成して、前記ディスプレイに表示し、前記画面に対するユーザの操作に応じて、前記モバイル装置のコンテンツの再生動作を制御する再生制御動作を行うモバイル装置コンテンツ再生制御手段と、モバイル装置出力映像表示制御手段とを備えたものである。ここで、前記モバイル装置出力映像表示制御手段は、当該車載システムにおいて、前記モバイル装置のコンテンツの利用を開始する際に、前記既表示有無管理手段が管理している前記表示有無情報が、接続されているモバイル装置が出力した映像を当該モバイル装置が接続された後に表示したことがあることを表している場合に、前記モバイル装置コンテンツ再生制御手段に前記再生制御動作を開始させ、前記既表示有無管理手段が管理している前記表示有無情報が、接続されているモバイル装置が出力した映像を当該モバイル装置が接続された後に表示したことがないことを表している場合に、接続されているモバイル装置が出力する映像の前記ディスプレイへの所定期間のみの表示を制御するモバイル装置映像表示処理を行った上で、前記モバイル装置コンテンツ再生制御手段に前記再生制御動作を開始させる。また、前記既表示有無管理手段は、前記モバイル装置出力映像表示制御手段が前記モバイル装置映像表示処理を行ったときに、前記表示有無情報を、接続されているモバイル装置が出力した映像を当該モバイル装置が接続された後に表示したことがあることを表すように更新する。
【００１３】
ここで、以上の車載システムは、前記既表示有無管理手段において、前記モバイル装置の接続が解除されたときに、前記表示有無情報を、当該表示有無情報が、接続されているモバイル装置が出力した映像を当該モバイル装置が接続された後に表示したことがないことを表すように更新するようにしてもよい。
【００１４】
また、以上の車載システムにおいて、前記モバイル装置が再生するコンテンツは、オーディオコンテンツであってよい。
以上のような車載システムによれば、モバイル装置のコンテンツの利用を開始する際に、当該モバイル装置が接続されてから当該モバイル装置が出力する映像の表示を１度も行っていない場合には当該映像を表示した上で、モバイル装置のコンテンツの利用を開始するので、モバイル装置が出力する映像を車載システムにおいて表示することなくモバイル装置のコンテンツの再生動作を車載システムから制御することを制限するモバイル装置についても車載システムにおいて生成した操作受付用の画面を用いて、その再生動作を制御することができるようになる。
【００１５】
また、モバイル装置が出力する映像の表示は、当該モバイル装置が接続されている期間中、１度だけ行われるので、モバイル装置の利用を開始する度に、毎回、モバイル装置が出力する映像が表示されてしまうことによる煩雑さを回避することができる。
【発明の効果】
【００１６】
以上のように、本発明によれば、接続されたモバイル装置のコンテンツ再生動作を制御する車載システムにおいて、モバイル装置が出力する画面を表示することなくモバイル装置のコンテンツの再生動作を制御することを制限するモバイル装置についても、車載システムにおいて作成した画面を用いたモバイル装置のコンテンツの再生動作の操作の受け付けと当該操作に応じたモバイル装置のコンテンツの再生動作の制御を行うことが可能となる。
【図面の簡単な説明】
【００１７】
【図１】本発明の実施形態に係る車載システムの構成を示すブロック図である。
【図２】本発明の実施形態に係る車載システムの配置を示す図である。
【図３】本発明の実施形態に係るモバイル装置コンテンツ再生開始時処理を示すフローチャートである。
【図４】本発明の実施形態に係るモバイル装置コンテンツ利用開始処理を示すフローチャートである。
【図５】本発明の実施形態に係る車載システムの動作例を示す図である。
【図６】本発明の実施形態に係る車載システムの動作例を示す図である。
【図７】本発明の実施形態に係る車載システムの他の動作例を示す図である。
【発明を実施するための形態】
【００１８】
以下、本発明の実施形態について説明する。
図１に、本実施形態に係る車載システムの構成を示す。
車載システムは自動車に搭載されるシステムであり、図示するように、車載システム１は、下部タッチパネルディスプレイ１１、上部ディスプレイ１２、スピーカ１３、制御装置１４、記憶装置やディスクドライブやラジオ放送受信器やＧＰＳ受信器などの周辺装置１５を備えている。
【００１９】
ここで、下部タッチパネルディスプレイ１１は、ディスプレイとタッチパネルとを一体化した装置である。
そして、図２に示すように、下部タッチパネルディスプレイ１１はフロントシート前方の左右方向について中央の位置においてダッシュボード内に設置され、上部ディスプレイ１２は下部タッチパネルディスプレイ１１の上方の位置に設置されている。
【００２０】
図１に戻り、車載システム１の制御装置１４は、下部タッチパネルディスプレイ１１のタッチパネルに対して行われたユーザのタッチ操作の入力を受け付けるタッチ操作入力部１４１、下部タッチパネルディスプレイ１１と上部ディスプレイ１２の表示を制御するビデオ出力制御部１４２、スピーカ１３へのオーディオ出力を制御するオーディオ出力制御部１４３、周辺装置１５の制御を行う周辺装置制御部１４４、モバイル装置２とUSBやBluetooth（登録商標）やWi-Fi等の通信インタフェースで接続しモバイル装置２と通信を行うモバイル装置インタフェース１４５、以上の各部を制御する制御部１４６、プレイヤアプリケーション１４７やナビゲーションアプリケーション１４８などの複数のアプリケーションを備えている。
【００２１】
なお、モバイル装置２は、スマートフォンやタブレット装置などの、ユーザによって携帯される装置である。また、本実施形態において対象とするモバイル装置２は、モバイル装置２が出力する映像を車載システム１において表示することなく、モバイル装置２のコンテンツの再生動作を車載システム１から制御することを制限するものである。また、このモバイル装置２は、モバイル装置２が出力する映像を、１度でも車載システム１において表示した後は、制御装置１４との接続が解除されるまで、モバイル装置２が出力する映像を車載システム１において表示していない状態においても、モバイル装置２のコンテンツの再生動作を車載システム１から制御できるものである。
【００２２】
ここで、各アプリケーションは、制御部１４６を介してビデオ出力制御部１４２の機能を利用して下部タッチパネルディスプレイ１１や上部ディスプレイ１２への表示を行ったり、制御部１４６を介してタッチ操作入力部１４１の機能を利用して下部タッチパネルディスプレイ１１に対して行われたタッチ操作を受け付けて所定の処理を行ったり、制御部１４６を介してオーディオ出力制御部１４３の機能を利用してスピーカ１３に音声を出力したり、制御部１４６を介して周辺装置制御部１４４の機能を利用して各周辺装置１５を使用したり、制御部１４６を介してモバイル装置インタフェース１４５の機能を利用してモバイル装置２と通信を行ったりすることができる。
【００２３】
また、プレイヤアプリケーション１４７は、周辺装置１５として備えた記憶装置やディスクドライブに格納されたオーディオコンテンツの再生出力動作の制御や、周辺装置１５として備えたラジオ放送受信器で受信するオーディオコンテンツの再生出力動作の制御や、制御装置１４に接続されたモバイル装置２のオーディオコンテンツの再生出力動作の制御などを行うアプリケーションである。
【００２４】
また、ナビゲーションアプリケーション１４８は、周辺装置１５として備えたGPS受信器等を用いて現在位置を算出すると共に、地図上に現在位置や目的地やルートを表したナビゲーション画面を表示することにより道案内を行うアプリケーションである。
【００２５】
なお、以上の制御装置１４は、ＣＰＵやメモリや周辺回路を備えたコンピュータを用いて構成されるものであってよく、この場合、制御装置１４の各部はＣＰＵがコンピュータプログラムを実行することにより実現されるものであってよい。
【００２６】
さて、プレイヤアプリケーション１４７は、所定のユーザ操作に応答して、図５ａ１に示すオーディオソース選択画面を下部タッチパネルディスプレイ１１に表示し、再生出力するオーディオコンテンツの出力元であるオーディオソースとする機器の選択を受け付ける。
【００２７】
そして、オーディオソースとして、モバイル装置２が選択された場合には、図３に示すモバイル装置コンテンツ再生開始時処理を開始する。なお、オーディオソースとして、モバイル装置２以外の機器が選択された場合、プレイヤアプリケーション１４７は、その機器の再生動作の操作を受け付けるための画面を下部タッチパネルディスプレイ１１に表示し、当該画面に対するユーザ操作を受け付けて、オーディオソースとして選択された機器のオーディオコンテンツの再生出力動作を制御する。
【００２８】
さて、図３に示すように、このモバイル装置コンテンツ再生開始時処理において、プレイヤアプリケーション１４７は、まず、制御部１４６に、モバイル装置利用許可問い合わせを発行する（ステップ３０２）。
【００２９】
ここで、制御部１４６は、プレイヤアプリケーション１４７からモバイル装置利用許可問い合わせを受け取ったならば、後述するモバイル装置コンテンツ利用開始処理を行って、プレイヤアプリケーション１４７にモバイル装置利用不許可、または、モバイル装置利用許可のいずれかを応答する。
【００３０】
そして、プレイヤアプリケーション１４７は、制御部１４６からモバイル装置利用不許可が応答された場合には（ステップ３０４）、モバイル装置２が利用できない旨を表す利用不可メッセージをオーディオソース選択画面に重畳させた形態で、下部タッチパネルディスプレイ１１に所定期間のみ表示し（ステップ３１０）、モバイル装置コンテンツ再生開始時処理を終了する。
【００３１】
一方、プレイヤアプリケーション１４７は、制御部１４６からモバイル装置利用許可が応答された場合には（ステップ３０６）、モバイル装置コンテンツ再生処理を開始し（ステップ３０８）、モバイル装置コンテンツ再生開始時処理を終了する。
【００３２】
ここで、ステップ３０８で開始したモバイル装置コンテンツ再生処理において、プレイヤアプリケーション１４７は、モバイル装置２にオーディオコンテンツの再生開始を指示し、モバイル装置２から制御装置１４に転送されたオーディオコンテンツのスピーカ１３からの再生出力を開始すると共に、図５ａ３に示すような再生情報画面を生成して、下部タッチパネルディスプレイ１１に表示し、当該再生情報画面で、モバイル装置２の再生動作の操作をユーザから受け付け、受け付けたユーザ操作に応じて、モバイル装置２のオーディオコンテンツの再生動作を制御する。
【００３３】
ここで、図５ａ３に示すように、再生情報画面には、モバイル装置２から取得した、再生出力中のオーディオコンテンツの情報５０１を表示する。また、再生情報画面には、スキップ、ポーズ、再生などの、モバイル装置２の再生動作の操作をユーザから受け付けるためのボタン５０２が設けられている。
【００３４】
なお、オーディオコンテンツの再生開始を指示されたモバイル装置２は、モバイル装置２のオーディオコンテンツの制御装置１４への転送を開始すると共に、転送中のオーディオコンテンツに関する情報をプレイヤアプリケーション１４７に提供する。また、モバイル装置２は、プレイヤアプリケーション１４７の制御に従って、スキップ、ポーズ、再生などの再生動作を行う。
【００３５】
以上、プレイヤアプリケーション１４７が行うモバイル装置コンテンツ再生開始時処理について説明した。
次に、以上のモバイル装置コンテンツ再生開始時処理のステップ３０２でプレイヤアプリケーション１４７から発行されたモバイル装置利用許可問い合わせを受けた、制御部１４６が行うモバイル装置コンテンツ利用開始処理について説明する。
【００３６】
図４に、このモバイル装置コンテンツ利用開始処理の手順を示す。
図示するように、制御部１４６は、モバイル装置コンテンツ利用開始処理において、既表示フラグが設定されているかどうかを調べる（ステップ４０２）。
ここで、既表示フラグは初期状態ではクリアされておりセットされていない。また、制御部１４６は、制御装置１４とモバイル装置２との接続が解除されたときに既表示フラグをクリアする。
【００３７】
そして、既表示フラグが設定されていれば（ステップ４０２）、モバイル装置利用許可をプレイヤアプリケーション１４７に応答し（ステップ４１８）、モバイル装置コンテンツ利用開始処理を終了する。
【００３８】
一方、既表示フラグが設定されていない場合には、下部タッチパネルディスプレイ１１に、図５ａ２に示すような、モバイル装置２のオーディオコンテンツを利用するためにはモバイル装置２の出力映像を表示する必要のある旨の通知と、モバイル装置２の出力映像を表示するかどうかの問い合わせを行うモバイル装置映像表示可否問い合わせ画面を表示する（ステップ４０４）。
【００３９】
そして、モバイル装置映像表示可否問い合わせ画面に対するユーザの操作の発生を待ち（ステップ４０６）、発生したユーザの操作がモバイル装置２の出力映像の表示を指示する操作でなく、非表示を指示する操作であれば（ステップ４０８）、モバイル装置利用不許可をプレイヤアプリケーション１４７に応答し（ステップ４２０）、モバイル装置コンテンツ利用開始処理を終了する。
【００４０】
一方、発生したユーザの操作がモバイル装置２の出力映像の表示を指示する操作である場合には（ステップ４０８）、モバイル装置２に映像の転送開始を要求する（ステップ４１０）。
【００４１】
ここで、制御部１４６から、映像の転送開始を要求されたモバイル装置２は、所定の映像の制御装置１４への転送を開始する。
そして、制御部１４６は、モバイル装置２から転送された映像の受信が開始したならば（ステップ４１２）、上部ディスプレイ１２の表示をモバイル装置２から転送された映像の表示に切り替える（ステップ４１４）。
【００４２】
そして、既表示フラグをセットし（ステップ４１６）、モバイル装置利用許可をプレイヤアプリケーション１４７に応答し（ステップ４１８）、モバイル装置コンテンツ利用開始処理を終了する。
【００４３】
以上、制御部１４６が行うモバイル装置コンテンツ利用開始処理について説明した。
以下、このような、プレイヤアプリケーション１４７が行うモバイル装置コンテンツ再生開始時処理と、制御部１４６が行うモバイル装置コンテンツ利用開始処理による車載システム１の動作例を示す。
【００４４】
いま、制御装置１４においてプレイヤアプリケーション１４７とナビゲーションアプリケーション１４８とが稼働しており、図５ａ１に示すように下部タッチパネルディスプレイ１１にプレイヤアプリケーション１４７の出力画面であるオーディオソース選択画面が表示されており、図５ｂ１に示すように上部ディスプレイ１２にナビゲーションアプリケーション１４８の出力画面であるナビゲーション画面が表示されているものとする。
【００４５】
また、この時点において、既表示フラグはクリアされておりセットされていないものとする。
この状態において、下部タッチパネルディスプレイ１１のオーディオソース選択画面に対して、タッチ操作によりユーザがオーディオソースとしてモバイル装置２を選択すると、既表示フラグはクリアされているので、図５ａ２に示すように、下部タッチパネルディスプレイ１１には、モバイル装置２のオーディオコンテンツを利用するためにはモバイル装置２の出力映像を表示する必要のある旨の通知と、モバイル装置２の出力映像を表示するかどうかの問い合わせを行うモバイル装置映像表示可否問い合わせ画面が表示される。
【００４６】
なお、この状態においては、上部ディスプレイ１２の表示は図５ｂ２に示すようにナビゲーション画面の表示に維持される。
そして、図５ａ２のモバイル装置映像表示可否問い合わせ画面に対して「はい」ボタン５１１の操作により、モバイル装置２の出力映像の表示の指示が発生したならば、図５ｂ３に示すように、上部ディスプレイ１２の表示は、ナビゲーション画面の表示から、モバイル装置２から転送された映像の表示に切り替わると共に、既表示フラグがセットされる。
【００４７】
また、このモバイル装置２から転送された映像の表示により、モバイル装置２を制御装置１４から制御可能な状態となり、プレイヤアプリケーション１４７のモバイル装置２の制御によって、モバイル装置２のオーディオコンテンツのスピーカ１３への再生出力が開始され、下部タッチパネルディスプレイ１１に、図５ａ３に示すように、再生出力中のオーディオコンテンツの情報５０１の表示と、モバイル装置２の再生動作の操作をユーザから受け付けるためのボタン５０２が設けられた再生情報画面が表示される。
【００４８】
そして、以降、ユーザは、下部タッチパネルディスプレイ１１の再生情報画面のボタン５０２に操作によって、モバイル装置２のオーディオコンテンツの再生動作を操作することができるようになる。
【００４９】
なお、図５ａ２のモバイル装置映像表示可否問い合わせ画面に対して「いいえ」ボタン５１２の操作により、モバイル装置２の出力映像の非表示の指示が発生した場合には、下部タッチパネルディスプレイ１１に所定期間、モバイル装置２が利用できない旨を表す利用不可メッセージが、オーディオソース選択画面に重畳した形態で表示されることとなる。
【００５０】
次に、プレイヤアプリケーション１４７が行うモバイル装置コンテンツ再生開始時処理と、制御部１４６が行うモバイル装置コンテンツ利用開始処理による車載システム１の他の動作例を示す。
【００５１】
いま、制御装置１４においてプレイヤアプリケーション１４７とナビゲーションアプリケーション１４８とが稼働しており、図６ａ１に示すように下部タッチパネルディスプレイ１１にプレイヤアプリケーション１４７の出力画面であるオーディオソース選択画面が表示されており、図６ｂ１に示すように上部ディスプレイ１２にナビゲーションアプリケーション１４８の出力画面であるナビゲーション画面が表示されているものとする。
【００５２】
また、この時点において、既表示フラグはセットされているものとする。
この状態において、下部タッチパネルディスプレイ１１のオーディオソース選択画面に対して、タッチ操作によりユーザがオーディオソースとしてモバイル装置２を選択すると、既表示フラグがセットされているので、すぐに、モバイル装置２のオーディオコンテンツのスピーカ１３への再生出力が開始され、下部タッチパネルディスプレイ１１には、図６ａ２に示すように、再生出力中のオーディオコンテンツの情報５０１の表示と、モバイル装置２の再生動作の操作をユーザから受け付けるためのボタン５０２が設けられた再生情報画面が表示される。
【００５３】
そして、以降、ユーザは、下部タッチパネルディスプレイ１１の再生情報画面のボタン５０２に操作によって、モバイル装置２のオーディオコンテンツの再生動作を操作することができるようになる。
【００５４】
また、この場合、上部ディスプレイ１２にモバイル装置２が転送する映像の表示は行われず、図６ｂ２に示すように上部ディスプレイ１２の表示は、ナビゲーション画面の表示に維持される。
【００５５】
以上、本発明の実施形態について説明した。
以上のように本実施形態によれば、モバイル装置２のオーディオコンテンツを利用する際に、当該モバイル装置２が接続されてから当該モバイル装置２が出力する映像の表示を１度も行っていない場合には当該映像を表示した上で、モバイル装置２のオーディオコンテンツの利用を開始するので、モバイル装置２が出力する映像を車載システム１において表示することなく、モバイル装置２を車載システム１から制御することを制限するモバイル装置２についても、車載システム１において生成した再生情報画面を用いて、その再生動作を制御することができるようになる。
【００５６】
また、モバイル装置２が出力する映像の表示は、当該モバイル装置２が接続されている期間中、１度だけ行われるので、モバイル装置２をオーディオソースとして利用する度に、毎回、モバイル装置２が出力する映像が表示されてしまうことによる煩雑さを回避することができる。
【００５７】
ところで、以上の実施形態において制御部１４６が行う図４のモバイル装置コンテンツ利用開始処理のステップ４１４は、上部ディスプレイ１２の表示をモバイル装置２から転送された映像の表示に一定期間だけ切り替え、その後に、上部ディスプレイ１２の表示を切り替え前の表示に復帰する処理としてもよい。
【００５８】
このようにすることにより、図５に示した動作例では、図５ｂ３に示すように、上部ディスプレイ１２の表示が、ナビゲーション画面の表示から、モバイル装置２から転送された映像の表示に切り替わった後、所定期間経過後に、自動的に、図５ｂ４に示すように、ナビゲーション画面の表示に復帰する。
【００５９】
また、以上の実施形態は、上部ディスプレイ１２と下部タッチパネルディスプレイ１１との二つのディスプレイを設けた場合について説明したが、一つのディスプレイのみを設ける場合にも、以下のように修正して本実施形態を適用することができる。
【００６０】
すなわち、たとえば、上部ディスプレイ１２を設けずに、下部タッチパネルディスプレイ１１のみをディスプレイとして設ける場合には、制御部１４６が行う図４のモバイル装置コンテンツ利用開始処理のステップ４１４を、下部タッチパネルディスプレイ１１をモバイル装置２から転送された映像の表示に一定期間だけ切り替え、その後に、下部タッチパネルディスプレイ１１の表示を、切り替え前に画面を表示していたアプリケーションの出力する画面の表示に復帰する処理とすればよい。
【００６１】
このようにすることにより、一つのディスプレイのみを設けた場合にも、モバイル装置２が出力する映像を車載システム１において表示することなく、モバイル装置２を車載システム１から制御することを制限するモバイル装置２についても、車載システム１において生成した再生情報画面を用いて、その再生動作を制御することができるようになる。
【００６２】
また、モバイル装置２が出力する映像の表示は、当該モバイル装置２が接続されている期間中、１度だけ行われるので、モバイル装置２をオーディオソースとして利用する度に、毎回、モバイル装置２が出力する映像が表示されてしまうことによる煩雑さを回避することができる。
【００６３】
ここで、図７ａは、下部タッチパネルディスプレイ１１のみをディスプレイとして設けた場合のプレイヤアプリケーション１４７が行うモバイル装置コンテンツ再生開始時処理と、制御部１４６が行うモバイル装置コンテンツ利用開始処理による車載システム１の動作例を示したものである。
【００６４】
いま、制御装置１４においてプレイヤアプリケーション１４７が稼働しており、図７ａ１に示すように下部タッチパネルディスプレイ１１にプレイヤアプリケーション１４７の出力画面であるオーディオソース選択画面が表示されているものとする。
【００６５】
また、この時点において、既表示フラグはクリアされておりセットされていないものとする。
この状態において、下部タッチパネルディスプレイ１１のオーディオソース選択画面に対して、タッチ操作によりユーザがオーディオソースとしてモバイル装置２を選択すると、既表示フラグはクリアされているので、図７ａ２に示すように、下部タッチパネルディスプレイ１１には、モバイル装置２のオーディオコンテンツを利用するためにはモバイル装置２の出力映像を表示する必要のある旨の通知と、モバイル装置２の出力映像を表示するかどうかの問い合わせを行うモバイル装置映像表示可否問い合わせ画面が表示される。
【００６６】
そして、図７ａ２のモバイル装置映像表示可否問い合わせ画面に対して「はい」ボタン５１１の操作により、モバイル装置２の出力映像の表示の指示が発生したならば、図７ａ３に示すように、下部タッチパネルディスプレイ１１の表示は、モバイル装置２から転送された映像の表示に切り替わり、既表示フラグがセットされる。また、モバイル装置２から転送された映像の表示により、モバイル装置２を制御装置１４から制御可能な状態となり、プレイヤアプリケーション１４７のモバイル装置２の制御によって、モバイル装置２のオーディオコンテンツのスピーカ１３への再生出力が開始される。
【００６７】
そして、所定期間経過後に、下部タッチパネルディスプレイ１１の表示は、図７ａ４に示すように、再生出力中のオーディオコンテンツの情報５０１の表示と、モバイル装置２の再生動作の操作をユーザから受け付けるためのボタン５０２が設けられた再生情報画面に切り替わり、以降、ユーザは、下部タッチパネルディスプレイ１１の再生情報画面のボタン５０２に操作によって、モバイル装置２のオーディオコンテンツの再生動作を操作することができるようになる。
【００６８】
なお、図７ａ２のモバイル装置映像表示可否問い合わせ画面に対して「いいえ」ボタン５１２の操作により、モバイル装置２の出力映像の非表示の指示が発生した場合には、下部タッチパネルディスプレイ１１に所定期間、モバイル装置２が利用できない旨を表す利用不可メッセージが、オーディオソース選択画面に重畳した形態で表示されることとなる。
【００６９】
次に、図７ｂは、下部タッチパネルディスプレイ１１のみをディスプレイとして設けた場合のプレイヤアプリケーション１４７が行うモバイル装置コンテンツ再生開始時処理と、制御部１４６が行うモバイル装置コンテンツ利用開始処理による車載システム１の他の動作例を示したものである。
【００７０】
いま、制御装置１４においてプレイヤアプリケーション１４７が稼働しており、図７ｂ１に示すように下部タッチパネルディスプレイ１１にプレイヤアプリケーション１４７の出力画面であるオーディオソース選択画面が表示されているものとする。
【００７１】
また、この時点において、既表示フラグはセットされているものとする。
いま、この状態において、下部タッチパネルディスプレイ１１のオーディオソース選択画面に対して、タッチ操作によりユーザがオーディオソースとしてモバイル装置２を選択すると、既表示フラグがセットされているので、すぐに、モバイル装置２のオーディオコンテンツのスピーカ１３への再生出力が開始され、下部タッチパネルディスプレイ１１には、図７ｂ２に示すように、再生出力中のオーディオコンテンツの情報５０１の表示と、モバイル装置２の再生動作の操作をユーザから受け付けるためのボタン５０２が設けられた再生情報画面が表示される。
【００７２】
そして、以降、ユーザは、下部タッチパネルディスプレイ１１の再生情報画面のボタン５０２に操作によって、モバイル装置２のオーディオコンテンツの再生動作を操作することができるようになる。
【００７３】
ここで、以上では、車載システム１においてモバイル装置２のオーディオコンテンツを利用する場合について示したが、本実施形態は、車載システム１においてモバイル装置２のビジュアルコンテンツやその他のオーディオコンテンツ以外のコンテンツを利用する場合について同様に適用することができる。
【符号の説明】
【００７４】
１…車載システム、２…モバイル装置、１１…下部タッチパネルディスプレイ、１２…上部ディスプレイ、１３…スピーカ、１４…制御装置、１５…周辺装置、１４１…タッチ操作入力部、１４２…ビデオ出力制御部、１４３…オーディオ出力制御部、１４４…周辺装置制御部、１４５…モバイル装置インタフェース、１４６…制御部、１４７…プレイヤアプリケーション、１４８…ナビゲーションアプリケーション。
【図１】
2019021277.tif 000003
【図２】
2019021277.tif 000004
【図３】
2019021277.tif 000005
【図４】
2019021277.tif 000006
【図５】
2019021277.tif 000007
【図６】
2019021277.tif 000008
【図７】
2019021277.tif 000009